(57)【要約】  ユーザが電力需要ピークを抑制するための行動をできるだけ制約することなく、電力需要ピークを抑制し易くする料金体系管理装置、および料金体系管理システムを提供する。料金体系管理装置（１）の第１通信部（１１）は、ユーザ端末（２）から、特定の電気料金単価を適用する時間帯である特定時間帯を指示する指示情報を取得する。体系作成部（１３）は、指示情報に基づいて特定時間帯に特定の電気料金単価を適用し、且つ時間帯によって変動する電気料金単価を１日に亘って時間積分した積分値が所定値に一致する電気料金体系を作成する。第２通信部（１２）は、体系作成部（１３）が作成した電気料金体系の情報をサーバ（４）へ送信する。
2015194093.tif 000002
【特許請求の範囲】
【請求項１】
時間帯によって電気料金単価が変動する電気料金体系を作成する料金体系管理装置であって、
特定の電気料金単価を適用する時間帯である特定時間帯を表す指示情報を取得する情報取得部と、
前記指示情報に基づいて、前記特定時間帯に前記特定の電気料金単価を適用した電気料金体系を作成する体系作成部と、
前記体系作成部が作成した前記電気料金体系の情報を外部へ送信する通信部とを備え、
前記体系作成部は、時間帯によって変動する電気料金単価を１日に亘って時間積分した積分値が予め決められた所定値に一致するように、前記電気料金体系を作成する
ことを特徴とする料金体系管理装置。
【請求項２】
前記特定の電気料金単価は、１日のうちで最も高い電気料金単価であることを特徴とする請求項１記載の料金体系管理装置。
【請求項３】
前記体系作成部は、最も高い電気料金単価が適用される前記特定時間帯が予め決められた時間帯を含んでいる場合のみ、前記電気料金体系を作成することを特徴とする請求項２記載の料金体系管理装置。
【請求項４】
前記特定の電気料金単価は、１日のうちで最も低い電気料金単価であることを特徴とする請求項１記載の料金体系管理装置。
【請求項５】
前記体系作成部は、作成した前記電気料金体系において、１日のうちで最も高い電気料金単価を、予め決められた最低単価以上に設定することを特徴とする請求項１乃至４いずれか記載の料金体系管理装置。
【請求項６】
請求項１乃至５いずれか記載の料金体系管理装置と、前記料金体系管理装置と通信するユーザ端末とを備え、
前記ユーザ端末は、前記料金体系管理装置へ前記指示情報を送信し、前記通信部が送信した前記電気料金体系の情報を受信して、ユーザへ報知する
ことを特徴とする料金体系管理システム。
【発明の詳細な説明】
【技術分野】
【０００１】
本発明は、一般に料金体系管理装置、および料金体系管理システム、より詳細にはユーザの要望を反映した電気料金体系を作成する料金体系管理装置、および料金体系管理システムに関する。
【背景技術】
【０００２】
ユーザは、電力会社等の電気事業者から電気を購入し、その対価を電気料金として支払っている。現在、様々な電気料金体系（電気料金プラン）が用意されており、ユーザは、電力使用量、電気の使用時間帯、電気の使用場所等の使用形態に応じて、適した電気料金体系を選択して電気事業者と契約する。【０００３】
電気料金体系には、時間帯によって電気料金単価が変動する電気料金体系があり、例えば７時〜２３時の時間帯では、割高な電気料金単価が設定され、２３時〜７時の時間帯では割安な電気料金単価が設定されている。そして、電気の使用実績に基づいて、電気料金単価が低い時間帯での電気機器の使用を推奨するメッセージをユーザに提示するシステムが提案されている（例えば、文献１「日本国特許公開番号２００８−２０２９８４」参照）。【０００４】
近年、電力需要の増加や発電状況等によっては、商用電源に着目した場合、電力需要量が電力供給量を超える電力供給不足が発生する虞がある。この場合、ユーザは、商用電力の使用を控えて、電力需要ピークを抑制して、電力供給不足の発生を未然に防止することが必要となる。【０００５】
しかしながら、ユーザは、電気事業者が定めている限られた電気料金体系の中から、電気料金体系を選択しなければならず、ユーザは、選択した電気料金体系の内容によっては、電力需要ピークを抑制するための行動に制約を受ける場合があった。【０００６】
例えば一般に、ユーザは、電力需要ピークを抑制するために電気機器の使用時間（機器使用時間）をずらそうと思っても、電気料金体系が機器使用時間に合わなければ、電力需要ピークを抑制する行動を実際に実行するまでには容易に至らない場合がある。【０００７】
また、電力事業者は、電力供給の安定性向上という観点から、電力需要ピークをできるだけ抑えたい。しかしながら、同一の電気料金体系を用いている複数のユーザは、電気機器の使用形態が互いに同じような使用形態になることが多いので、電力需要ピークが高くなりやすく、電気事業者の思惑とは反することになる。
【発明の概要】
【０００８】
本発明は、上記事由に鑑みてなされており、その目的は、ユーザが電力需要ピークを抑制するための行動をできるだけ制約することなく、電力需要ピークを抑制し易くする料金体系管理装置、および料金体系管理システムを提供することにある。
【０００９】
本発明の一形態である料金体系管理装置は、時間帯によって電気料金単価が変動する電気料金体系を作成する料金体系管理装置であって、特定の電気料金単価を適用する時間帯である特定時間帯を表す指示情報を取得する情報取得部と、前記指示情報に基づいて、前記特定時間帯に前記特定の電気料金単価を適用した電気料金体系を作成する体系作成部と、前記体系作成部が作成した前記電気料金体系の情報を外部へ送信する通信部とを備え、前記体系作成部は、時間帯によって変動する電気料金単価を１日に亘って時間積分した積分値が予め決められた所定値に一致するように、前記電気料金体系を作成することを特徴とする。
【００１０】
本発明の一形態である料金体系管理システムは、本発明の一形態である料金体系管理装置と、前記料金体系管理装置と通信するユーザ端末とを備え、前記ユーザ端末は、前記料金体系管理装置へ前記指示情報を送信し、前記通信部が送信した前記電気料金体系の情報を受信して、ユーザへ報知することを特徴とする。
【図面の簡単な説明】
【００１１】
【図１】実施形態１のシステム構成を示すブロック図である。
【図２】実施形態１の変更前の電気料金体系を示すグラフである。
【図３】実施形態１の電気料金体系の提示処理を示すフローチャートである。
【図４】実施形態１の変更後の電気料金体系を示すグラフである。
【図５】実施形態１の変更後の別の電気料金体系を示すグラフである。
【図６】実施形態２の料金体系管理装置の構成を示すブロック図である。
【図７】実施形態２の電気料金体系の提示処理を示すフローチャートである。
【発明を実施するための形態】
【００１２】
以下、本発明の実施の形態を図面に基づいて説明する。
【００１３】
（実施形態１）
図１は、本実施形態の料金体系管理システムの構成を示す。
【００１４】
料金体系管理システムは、料金体系管理装置１（以降、管理装置１と略称する）、ユーザ端末２、ルータ３、サーバ４を主構成として備える。
【００１５】
管理装置１、ユーザ端末２、ルータ３は、集合住宅の住戸、戸建住宅、事務所、ビルのテナント等の建屋内に設置され、サーバ４は屋外の遠隔地に設置される。そして、サーバ４は、インターネット等の広域ネットワーク５に接続している。管理装置１は、ルータ３を介して広域ネットワーク５に接続している。管理装置１とユーザ端末２とは、無線または有線のＨＡＮ（Home Area Network）で構成された宅内ネットワーク６を介して互いに通信可能に構成される。なお、インターネット、ＨＡＮ等を用いた通信については周知であるので、詳細な説明は省略する。
【００１６】
ユーザは、電力会社等の電気事業者から電気を購入し、その対価を電気料金として支払っている。通常、ユーザは、電気事業者が予め用意している複数の電気料金体系（電気料金プラン）から、１つの電気料金体系を選択して電気事業と契約している。図２は、ユーザが当初契約した電気料金体系１０１を示し、電気料金体系１０１は、昼間時間帯［Ｔｘ１］は、割高な電気料金単価［Ｐｘ１］が設定され、夜間時間帯［Ｔｘ２］は割安な電気料金単価［Ｐｘ２］が設定されている。
【００１７】
しかしながら、ユーザが電力需要ピークを抑制するために電気機器の使用時間（機器使用時間）をずらそうと思っても、電気料金体系が機器使用時間に合わなければ、電力需要ピークを抑制する行動を実際に実行するまでには容易に至らない場合がある。
【００１８】
そこで、本実施形態では、ユーザが電力需要ピークを抑制するための行動をできるだけ制約することなく、電力需要ピークを抑制し易くする電気料金体系を管理装置１がユーザへ提示する。なお、ユーザによる電力需要ピークを抑制する行動を、ピーク抑制行動と称す。
【００１９】
以下、電気料金体系のユーザへの提示処理について、図３のフローチャート、図４の電気料金体系１０２を用いて説明する。
【００２０】
ユーザ端末２は、操作部２１と、表示部２２と、通信部２３とを備えており、専用端末、携帯電話、スマートフォン、タブレット、およびパーソナルコンピュータのいずれかで構成される。操作部２１は、タッチパネル、およびスイッチ等のユーザインターフェース（User Interface）を備えて、ユーザ操作によって指示情報Ｙ１を作成する。指示情報Ｙ１は、特定の電気料金単価を適用する時間帯である特定時間帯を指示する情報である。
【００２１】
まず、本実施形態では、時間帯によって電気料金単価が３段階に変動する電気料金体系１０２を作成する。各段階の電気料金単価は、低いほうから順に［Ｐ１］、［Ｐ２］、［Ｐ３］となる。そして、ユーザは、操作部２１を操作して、自身のピーク抑制行動で行おうとしている電気の使用パターンに応じて、最も高い電気料金単価［Ｐ３］（最高料金単価［Ｐ３］）を適用する時間帯である特定時間帯［Ｔ３］の開始時間および終了時間を設定する。例えば、ユーザは、自身が電気の使用を控えようと考えている時間帯を特定時間帯［Ｔ３］とする。
【００２２】
さらに、ユーザは、操作部２１を操作して、自身のピーク抑制行動で行おうとしている電気の使用パターンに応じて、特定時間帯［Ｔ２］の開始時間および終了時間を設定する。特定時間帯［Ｔ２］は、２番目に高い電気料金単価［Ｐ２］を適用する時間帯である。そして、最も低い電気料金単価［Ｐ１］が適用される時間帯は、特定時間帯［Ｔ３］，［Ｔ２］以外になる。なお、作成する電気料金体系は、電気料金単価が２段階、または４段階以上に変動する体系でもよく、ユーザが設定する特定時間帯の数は、作成する電気料金体系の電気料金単価の変動数に応じて適宜設定される。
【００２３】
そして、操作部２１は、特定時間帯［Ｔ３］，［Ｔ２］を表す（指示する）指示情報Ｙ１を生成して、通信部２３が宅内ネットワーク６を介して指示情報Ｙ１を管理装置１へ送信する。
【００２４】
なお、管理装置１、ユーザ端末２、サーバ４の各間で授受される信号は、送信元および送信先を識別するために、管理装置１、ユーザ端末２、サーバ４のそれぞれに予め付与されている識別情報（アドレス情報等）のいずれかが含まれている。
【００２５】
管理装置１は、第１通信部１１（情報取得部）と、第２通信部１２（通信部）と、体系作成部１３とを備える。
【００２６】
第１通信部１１は、宅内ネットワーク６を介してユーザ端末２の通信部２３との間で通信を行う機能を有しており、第１通信部１１がユーザ端末２から指示情報Ｙ１を受信する（Ｓ１）。すなわち、第１通信部１１は、指示情報Ｙ１を取得する情報取得部に相当する。
【００２７】
ここで、特定時間帯［Ｔ３］を設定可能な時間帯を制約するために、制約時間帯［Ｔａ］が予め設定されている。そして、「制約時間帯［Ｔａ］に重複する特定時間帯［Ｔ３］の時間長さＴｂが所定値［Ｋ１］以上である」ことを、電気事業者の運営を考慮した制約条件１としている。そこで、管理装置１の体系作成部１３は、指示情報Ｙ１に基づいて、特定時間帯［Ｔ３］が制約条件１を満たしているか否か（制約時間帯［Ｔａ］に重複する特定時間帯［Ｔ３］の時間長さＴｂが所定値［Ｋ１］以上であるか否か）を判定する（Ｓ２）。なお、ユーザ端末２は、ユーザによる操作部２１の操作時に、制約条件１の情報を表示部２２に表示させて、ユーザの注意を喚起している。
【００２８】
そして、体系作成部１３は、特定時間帯［Ｔ３］が制約条件１を満たしていなければ、特定時間帯［Ｔ３］の再設定を要求する再設定要求Ｙ２を第１通信部１１からユーザ端末２へ送信させる（Ｓ３）。ユーザ端末２では、通信部２３が再設定要求Ｙ２を受信し、表示部２２は、ユーザへ特定時間帯［Ｔ３］の再設定を促す画面を表示する。
【００２９】
一方、体系作成部１３は、特定時間帯［Ｔ３］が制約条件１を満たしていれば、ユーザによって設定された特定時間帯［Ｔ３］，［Ｔ２］を反映し、且つ電気事業者の運営を考慮するために設けられた以下の制約条件２，３を満たす電気料金体系を作成する（Ｓ４）。
【００３０】
制約条件２は、「電気料金単価を１日に亘って時間積分した積分値が予め決められた所定値に一致するように、電気料金体系を作成する」ことである。具体的に、電気料金体系１０２の電気料金単価を１日に亘って時間積分した積分値（図４の斜線部）は、電気料金体系１０１の電気料金単価を１日に亘って時間積分した積分値（図２の斜線部）に一致しなければならない。すなわち、制約条件２は、変更前の電気料金体系の電気料金単価を１日に亘って時間積分した積分値と、変更後の電気料金体系の電気料金単価を１日に亘って時間積分した積分値とを互いに一致させるための条件である。
【００３１】
制約条件３は、「最高料金単価［Ｐ３］は、予め決められた最低単価以上に設定する」ことである。
【００３２】
上述の制約条件１〜３は、ユーザが契約する電気料金体系が変わった場合でも、電気事業者の収入のレベニューニュートラリティ（Revenue Neutrality）をできるだけ保つ（電気料金体系の変動前後における電気事業者の収入をできるだけ一定に保つ）ことに寄与する。ここで、電気事業者の収入とは、ユーザが支払う電気料金である。
【００３３】
最も低い電気料金単価［Ｐ１］は予め決められている固定単価であり、最高料金単価［Ｐ３］、２番目に高い電気料金単価［Ｐ２］は、変動可能である。体系作成部１３は、最高料金単価［Ｐ３］、２番目に高い電気料金単価［Ｐ２］を、表１の組み合わせの中から選択して設定する。
【００３４】
すなわち、体系作成部１３は、ユーザによって設定された特定時間帯［Ｔ１］，［Ｔ２］，［Ｔ３］を反映し、且つ表１から最高料金単価［Ｐ３］、電気料金単価［Ｐ２］の組み合わせを選択して、制約条件２，３を満たす１つ以上の電気料金体系を作成する。なお、この時点で、制約条件１は既に満たされている。
【００３５】
【表１】
2015194093.tif 000003
【００３６】
具体的に、体系作成部１３は、特定時間帯［Ｔ１］に電気料金単価［Ｐ１］を設定する。さらに体系作成部１３は、特定時間帯［Ｔ３］に表１から選択した最高料金単価［Ｐ３］を設定する。さらに体系作成部１３は、特定時間帯［Ｔ２］に表１から選択した電気料金単価［Ｐ２］を設定する。体系作成部１３は、最高料金単価［Ｐ３］と電気料金単価［Ｐ２］との組み合わせを変更することによって、制約条件１〜３を満たす複数の電気料金体系を作成できる。
【００３７】
そして、体系作成部１３は、作成した電気料金体系の情報を含む料金体系情報Ｙ３を第１通信部１１からユーザ端末２へ送信させる（Ｓ５）。ユーザ端末２では、通信部２３が料金体系情報Ｙ３を受信し、表示部２２は１または複数の電気料金体系の情報を表示する。この表示部２２が表示する電気料金体系の情報は、図４に示すように、横軸に時間（時刻）をとり、縦軸に電気料金単価をとったグラフ形式で表される。
【００３８】
ユーザは、操作部２１を操作して、表示部２２に表示された１または複数の電気料金体系から、自身のピーク抑制行動に合った電気料金体系を選択し、この選択結果を通知する選択情報Ｙ４を通信部２３が管理装置１へ送信する。
【００３９】
管理装置１の第１通信部１１がユーザ端末２から選択情報Ｙ４を受信すれば（Ｓ６）、第２通信部１２は、ユーザの変更後の電気料金体系を通知する変更要求Ｙ６をサーバ４へ送信する（Ｓ７）。
【００４０】
サーバ４は、電気事業者が管理するサーバであり、ユーザ毎に契約された電気料金体系の契約データを格納している。サーバ４は、管理装置１から変更要求Ｙ６を受信し、この変更要求Ｙ６に基づいて、当該ユーザの電気料金体系の契約データを変更する。以降、ユーザは、この変更された電気料金体系に基づいて電気事業者から電気料金を請求される。
【００４１】
また、表示部２２に表示された電気料金体系がユーザのピーク抑制行動に合わず、ユーザがいずれの電気料金体系も選択しない場合、ユーザは、操作部２１を操作して、終了要求Ｙ５を通信部２３から管理装置１へ送信させる。この場合、ステップＳ６において管理装置１の第１通信部１１は、ユーザ端末２から終了要求Ｙ５を受信するので、体系作成部１３は、作成した電気料金体系の情報を破棄する。そして体系作成部１３は、特定時間帯［Ｔ３］，［Ｔ２］の再設定を要求する再設定要求Ｙ７を第１通信部１１からユーザ端末２へ送信させる（Ｓ８）。ユーザ端末２では、通信部２３が再設定要求Ｙ７を受信し、表示部２２は、ユーザへ特定時間帯［Ｔ３］，［Ｔ２］の再設定を促す画面を表示する。
【００４２】
上述のように、ユーザは、最高料金単価［Ｐ３］を適用する特定時間帯［Ｔ３］をユーザ自身が設定するため、ピーク抑制行動を実行しやすくなり、ピーク抑制行動を実行する場合に生活、行動の制約が軽くなる。すなわち、ユーザに提示される電気料金体系は、ユーザが電力需要ピークを抑制するための行動をできるだけ制約することがない。
【００４３】
また、ユーザに提示される電気料金体系は、電気事業者の収入のレベニューニュートラリティをできるだけ保つことができる。さらに、ユーザ自身が最高料金単価［Ｐ３］を適用する特定時間帯［Ｔ３］を設定するということは、特定時間帯［Ｔ３］に電気を使わないまたは電気使用量が少ないということをユーザ自身が申告していることであり、電力需要ピークを抑制できる確実性が向上する。
【００４４】
したがって、本実施形態の管理装置１、および管理装置１を用いた料金体系管理システムは、ユーザが電力需要ピークを抑制するための行動をできるだけ制約することなく、電力需要ピークを抑制し易くすることができる。
【００４５】
また、体系作成部１３が作成する電気料金体系は、図５に示すように、最高料金単価Ｐ３が複数の時間帯に設定された電気料金体系１０３を作成することも可能である。したがって、管理装置１は、ユーザの様々なピーク抑制行動に合った電気料金体系をユーザへ提示することができる。
【００４６】
また本実施形態では、ユーザが、最高料金単価［Ｐ３］を適用する特定時間帯［Ｔ３］だけでなく、２番目に高い電気料金単価［Ｐ２］を適用する特定時間帯［Ｔ２］も設定している。しかし、ユーザは、特定時間帯［Ｔ３］のみを設定し、体系作成部１３が、上述の制約条件２を満たすように他の特定時間帯［Ｔ１］，［Ｔ２］を適宜に設定することもできる。
【００４７】
また、本実施形態では、最も低い電気料金単価［Ｐ１］が固定単価であり、体系作成部１３は、最高料金単価［Ｐ３］、２番目に高い電気料金単価［Ｐ２］を、表１の組み合わせの中から選択して設定する。しかし、体系作成部１３は、上述の制約条件２，３を満たすように、電気料金単価［Ｐ１］，［Ｐ２］，［Ｐ３］を適宜に変動させて設定することもできる。
【００４８】
（実施形態２）
図６は、本実施形態の管理装置１の構成を示す。管理装置１は、体系作成部１３Ａを備えており、この体系作成部１３Ａの処理が実施形態１の体系作成部１３の処理とは異なる。本実施形態の電気料金体系のユーザへの提示処理について、図７のフローチャート、図４の電気料金体系１０２を用いて説明する。なお、実施形態１と同様の構成には同一の符号を付して、説明は省略する。
【００４９】
本実施形態では、ユーザは、操作部２１を操作して、自身のピーク抑制行動で行おうとしている電気の使用パターンに応じて、最も低い電気料金単価［Ｐ１］を適用する時間帯である特定時間帯［Ｔ１］の開始時間および終了時間を設定する。例えば、ユーザは、自身が必ず電気を使用するだろうと考えている時間帯を特定時間帯［Ｔ１］とする。
【００５０】
そして、操作部２１は、特定時間帯［Ｔ１］を指示する指示情報Ｙ１１を生成して、通信部２３が宅内ネットワーク６を介して指示情報Ｙ１１を管理装置１へ送信する。
【００５１】
管理装置１の第１通信部１１は、ユーザ端末２から指示情報Ｙ１１を受信する（Ｓ１１）。すなわち、第１通信部１１は、指示情報Ｙ１１を取得する情報取得部に相当する。
【００５２】
ここで、特定時間帯［Ｔ１］を設定可能な時間帯を制約するために、「特定時間帯［Ｔ１］は、特定時間帯［Ｔ１］の全体または一部が制約時間帯［Ｔａ］に重複しないよう設定されなければならない」という制約条件４がある。そこで、管理装置１の体系作成部１３Ａは、指示情報Ｙ１１に基づいて、特定時間帯［Ｔ１］が制約条件４を満たしているか否か（特定時間帯［Ｔ１］が、制約時間帯［Ｔａ］に重複しているか否か）を判定する（Ｓ１２）。なお、ユーザ端末２は、ユーザによる操作部２１の操作時に、制約条件４の情報を表示部２２に表示させて、ユーザの注意を喚起している。
【００５３】
そして、体系作成部１３Ａは、特定時間帯［Ｔ１］が制約条件４を満たしていなければ、特定時間帯［Ｔ１］の再設定を要求する再設定要求Ｙ１２を第１通信部１１からユーザ端末２へ送信させる（Ｓ１３）。ユーザ端末２では、通信部２３が再設定要求Ｙ１２を受信し、表示部２２は、ユーザへ特定時間帯［Ｔ１］の再設定を促す画面を表示する。
【００５４】
一方、体系作成部１３Ａは、特定時間帯［Ｔ１］が制約条件４を満たしていれば、ユーザによって設定された特定時間帯［Ｔ１］を反映し、且つ上述の制約条件２，３を満たす電気料金体系を作成する（Ｓ１４）。
【００５５】
上述の制約条件２〜４は、ユーザが契約する電気料金体系が変わった場合でも、電気事業者の収入のレベニューニュートラリティ（Revenue Neutrality）をできるだけ保つ（電気料金体系の変動前後における電気事業者の収入をできるだけ一定に保つ）ことに寄与する。
【００５６】
そして、最も低い電気料金単価［Ｐ１］は固定単価であり、体系作成部１３Ａは、上述の制約条件２，３を満たすように、電気料金単価［Ｐ２］，［Ｐ３］、特定時間帯［Ｔ２］［Ｔ３］を適宜に設定して、１つ以上の電気料金体系を作成する。上述の制約条件２，３を満たす電気料金単価［Ｐ２］，［Ｐ３］、特定時間帯［Ｔ２］，［Ｔ３］の設定方法は、周知の数学的手法を用いて実現できる。
【００５７】
そして、体系作成部１３Ａは、作成した電気料金体系の情報を含む料金体系情報Ｙ１３を第１通信部１１からユーザ端末２へ送信させる（Ｓ１５）。ユーザ端末２では、通信部２３が料金体系情報Ｙ１３を受信し、表示部２２は１または複数の電気料金体系の情報を表示する。
【００５８】
ユーザは、操作部２１を操作して、表示部２２に表示された１または複数の電気料金体系から、自身のピーク抑制行動に合った電気料金体系を選択し、この選択結果を通知する選択情報Ｙ１４を通信部２３が管理装置１へ送信する。
【００５９】
管理装置１の第１通信部１１がユーザ端末２から選択情報Ｙ１４を受信すれば（Ｓ１６）、第２通信部１２は、ユーザの変更後の電気料金体系を通知する変更要求Ｙ１６をサーバ４へ送信する（Ｓ１７）。
【００６０】
サーバ４は、管理装置１から変更要求Ｙ１６を受信し、この変更要求Ｙ１６に基づいて、当該ユーザの電気料金体系の契約データを変更する。以降、ユーザは、この変更された電気料金体系に基づいて電気事業者から電気料金を請求される。
【００６１】
また、表示部２２に表示された電気料金体系がユーザのピーク抑制行動に合わず、ユーザがいずれの電気料金体系も選択しない場合、ユーザは、操作部２１を操作して、終了要求Ｙ１５を通信部２３から管理装置１へ送信させる。この場合、ステップＳ１６において管理装置１の第１通信部１１は、ユーザ端末２から終了要求Ｙ１５を受信するので、体系作成部１３Ａは、作成した電気料金体系の情報を破棄する。そして体系作成部１３Ａは、特定時間帯［Ｔ１］の再設定を要求する再設定要求Ｙ１７を第１通信部１１からユーザ端末２へ送信させる（Ｓ１８）。ユーザ端末２では、通信部２３が再設定要求Ｙ１７を受信し、表示部２２は、ユーザへ特定時間帯［Ｔ１］の再設定を促す画面を表示する。
【００６２】
上述のように、ユーザは、最低の電気料金単価である電気料金単価［Ｐ１］を適用する特定時間帯［Ｔ１］をユーザ自身が設定するため、ピーク抑制行動を実行しやすくなり、ピーク抑制行動を実行する場合に生活、行動の制約が軽くなる。すなわち、ユーザに提示される電気料金体系は、ユーザが電力需要ピークを抑制するための行動をできるだけ制約することがない。
【００６３】
また、ユーザに提示される電気料金体系は、電気事業者の収入のレベニューニュートラリティをできるだけ保つことができる。さらに、ユーザ自身が最低の電気料金単価である電気料金単価［Ｐ１］を適用する特定時間帯［Ｔ１］を設定するということは、特定時間帯［Ｔ１］に電気を使うまたは電気使用量が多いということをユーザ自身が申告していることである。したがって、特定時間帯［Ｔ１］以外では電力需要ピークを抑制できる確実性が向上する。
【００６４】
したがって、本実施形態の管理装置１、および管理装置１を用いた料金体系管理システムは、ユーザが電力需要ピークを抑制するための行動をできるだけ制約することなく、電力需要ピークを抑制し易くすることができる。
【００６５】
上述の各実施形態の管理装置１は、時間帯によって電気料金単価が変動する電気料金体系を作成する。そして、管理装置１は、第１通信部１１（情報取得部）と、体系作成部１３（１３Ａ）と、第２通信部１２（通信部）とを備える。第１通信部１１は、特定の電気料金単価を適用する時間帯である特定時間帯を表す指示情報を取得する。体系作成部１３（１３Ａ）は、指示情報に基づいて、特定時間帯に特定の電気料金単価を適用した電気料金体系を作成する。第２通信部１２は、体系作成部１３（１３Ａ）が作成した電気料金体系の情報をユーザ端末２（外部）へ送信する。そして、体系作成部１３（１３Ａ）は、時間帯によって変動する電気料金単価を１日に亘って時間積分した積分値が予め決められた所定値に一致するように、電気料金体系を作成する。
【００６６】
したがって、管理装置１は、ユーザが電力需要ピークを抑制するための行動をできるだけ制約することなく、電力需要ピークを抑制し易くすることができる。
【００６７】
また、特定の電気料金単価は、１日のうちで最も高い電気料金単価（最高料金単価［Ｐ３］）であることが好ましい。
【００６８】
この場合、ユーザは、最高料金単価［Ｐ３］を適用する特定時間帯［Ｔ３］をユーザ自身が設定するため、ピーク抑制行動を実行しやすくなり、ピーク抑制行動を実行する場合に生活、行動の制約が軽くなる。すなわち、ユーザに提示される電気料金体系は、ユーザが電力需要ピークを抑制するための行動をできるだけ制約することがない。
【００６９】
また、体系作成部１３（１３Ａ）は、最も高い電気料金単価（最高料金単価［Ｐ３］）が適用される特定時間帯［Ｔ３］が予め決められた時間帯（制約時間帯［Ｔａ］）を含んでいる場合のみ、電気料金体系を作成することが好ましい。
【００７０】
この場合、ユーザが契約する電気料金体系が変わった場合でも、電気事業者の収入のレベニューニュートラリティは、できるだけ保たれる（電気料金体系の変動前後における電気事業者の収入は略一定に保たれる）。
【００７１】
また、特定の電気料金単価は、１日のうちで最も低い電気料金単価（電気料金単価［Ｐ１］）であることが好ましい。
【００７２】
この場合、ユーザは、最低の電気料金単価である電気料金単価［Ｐ１］を適用する特定時間帯［Ｔ１］をユーザ自身が設定するため、ピーク抑制行動を実行しやすくなり、ピーク抑制行動を実行する場合に生活、行動の制約が軽くなる。すなわち、ユーザに提示される電気料金体系は、ユーザが電力需要ピークを抑制するための行動をできるだけ制約することがない。
【００７３】
また、体系作成部１３（１３Ａ）は、作成した電気料金体系において、１日のうちで最も高い電気料金単価（最高料金単価［Ｐ３］）を、予め決められた最低単価以上に設定することが好ましい。
【００７４】
この場合、ユーザが契約する電気料金体系が変わった場合でも、電気事業者の収入のレベニューニュートラリティは、できるだけ保たれる（電気料金体系の変動前後における電気事業者の収入は略一定に保たれる）。
【００７５】
また、料金体系管理システムは、管理装置１と、管理装置１と通信するユーザ端末２とを備え、ユーザ端末２は、管理装置１へ指示情報を送信し、第２通信部１２が送信した電気料金体系の情報を受信して、ユーザへ報知する。
【００７６】
したがって、料金体系管理システムは、ユーザが電力需要ピークを抑制するための行動をできるだけ制約することなく、電力需要ピークを抑制し易くすることができる。
【００７７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図１】
2015194093.tif 000004
【図２】
2015194093.tif 000005
【図３】
2015194093.tif 000006
【図４】
2015194093.tif 000007
【図５】
2015194093.tif 000008
【図６】
2015194093.tif 000009
【図７】
2015194093.tif 000010
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
時間帯によって電気料金単価が変動する電気料金体系を作成する料金体系管理装置であって、
特定の電気料金単価を適用する時間帯である特定時間帯を表す指示情報を取得する情報取得部と、
前記指示情報に基づいて、前記特定時間帯に前記特定の電気料金単価を適用した電気料金体系であって１日における電気料金単価の変化を表す電気料金体系を作成する体系作成部と、
前記体系作成部が作成した前記電気料金体系の情報を外部へ送信する通信部とを備え、
前記体系作成部は、時間帯によって変動する電気料金単価を１日に亘って時間積分した積分値が予め決められた所定値に一致するように、前記電気料金体系を作成する
ことを特徴とする料金体系管理装置。
【請求項２】
前記特定の電気料金単価は、１日のうちで最も高い電気料金単価であることを特徴とする請求項１記載の料金体系管理装置。
【請求項３】
前記体系作成部は、最も高い電気料金単価が適用される前記特定時間帯が予め決められた時間帯を含んでいる場合のみ、前記電気料金体系を作成することを特徴とする請求項２記載の料金体系管理装置。
【請求項４】
前記特定の電気料金単価は、１日のうちで最も低い電気料金単価であることを特徴とする請求項１記載の料金体系管理装置。
【請求項５】
前記体系作成部は、作成した前記電気料金体系において、１日のうちで最も高い電気料金単価を、予め決められた最低単価以上に設定することを特徴とする請求項１乃至４いずれか記載の料金体系管理装置。
【請求項６】
請求項１乃至５いずれか記載の料金体系管理装置と、前記料金体系管理装置と通信するユーザ端末とを備え、
前記ユーザ端末は、前記料金体系管理装置へ前記指示情報を送信し、前記通信部が送信した前記電気料金体系の情報を受信して、ユーザへ報知する
ことを特徴とする料金体系管理システム。
【国際調査報告】
2015194093.tif 000011
2015194093.tif 000012
2015194093.tif 000013
2015194093.tif 000014